(57)【要約】【課題】照度分布調整板によって照度分布の均一化を促しつつ、照明光において暗部を目立ちにくくすることができる面光源装置を提供する。【解決手段】照度分布調整板４０は、光源２２から対向方向に離れた位置に配置され、複数の光透過部４５を有する。基準線Ｌｒは、光源２２を通過し、対向方向と平行に延びる。基準線Ｌｒと交わる第１の直線は、以下の条件のうちの少なくとも一方を満たさない。・  第１の直線は、光源２２の直上以外の位置に配置される３以上の光透過部４５のそれぞれの中心を通過する。・  上記の３以上の光透過部４５のうち光源２２に最も近い位置に配置される光透過部４５の中心位置と基準線Ｌｒとの間の間隔をＰｒで表した場合、３以上の光透過部４５の各々と基準線Ｌｒとの間の間隔はＰｒの整数倍である。【選択図】図５
2019175808.tif 000002
【特許請求の範囲】
【請求項１】
光源と、前記光源から対向方向に離れた位置において前記光源と対向して配置される照度分布調整板であって、前記光源から出射した光の照度分布を調整する照度分布調整板と、を備える面光源装置であって、
前記照度分布調整板は、前記光を透過させる複数の光透過部が形成された基材を有し、
前記基材は、１以上の区画領域を有し、
前記光源を通過し且つ前記対向方向と平行に延びる直線を基準線として定め、前記基準線と交わる直線を第１の直線として定めた場合、前記第１の直線は、以下の２つの条件のうちの少なくともいずれか一方を満たさない、
・  前記第１の直線は、前記複数の光透過部のうち前記光源の直上以外の位置に配置される３以上の光透過部のそれぞれの中心を通過する、
・  前記３以上の光透過部のうち前記光源に最も近い位置に配置される光透過部の中心位置と前記基準線との間の間隔をＰｒで表した場合、前記３以上の光透過部の各々と前記基準線との間の間隔はＰｒの整数倍である、
面光源装置。
【請求項２】
前記複数の光透過部を前記光源からの距離に応じて複数の孔群に分類し、前記光源からの距離の序列がｎ番目（ただしｎは０を含まない自然数）である光透過部が分類される孔群をｎ番目の序列の孔群とする場合、
前記複数の孔群のうち、少なくとも２つの光透過部が分類される孔群において、前記少なくとも２つの光透過部は、前記基準線を中心とした円周方向に隣り合う光透過部が前記基準線を基準として形成する角度が等角度となるように配置される請求項１に記載の面光源装置。
【請求項３】
前記対向方向に対して直角に延びる直線を第２の直線及び第３の直線として定めた場合、
前記第２の直線は、以下の２つの条件のうちの少なくともいずれか一方を満たさず、
・  前記第２の直線は、前記複数の光透過部のうち、前記基準線から相対的に近い第１の範囲において前記光源の直上以外の位置に配置される３以上の光透過部のそれぞれの中心を通過する、
・  前記第２の直線が通過する前記第１の範囲における前記３以上の光透過部は、前記第２の直線に沿って隣り合う光透過部の中心間の距離が一定である、
前記第３の直線は、以下の２つの条件を満たす、
・  前記第３の直線は、前記複数の光透過部のうち、前記基準線から相対的に遠く且つ前記第１の範囲とは重複しない第２の範囲に配置される３以上の光透過部のそれぞれの中心を通過する、
・  前記第３の直線が通過する前記第２の範囲における前記３以上の光透過部は、前記第３の直線に沿って隣り合う光透過部の中心間の距離が一定である、
請求項１又は２に記載の面光源装置。
【請求項４】
各区画領域は、複数の要素領域に区分けされ、
少なくとも、前記対向方向に沿って投影されたときに前記光源と重なる要素領域に隣接する要素領域の各々には、前記光透過部が形成され、
前記第１の範囲に配置される各光透過部は、対応の要素領域において５０％以下の開口率を示す請求項３に記載の面光源装置。
【請求項５】
各区画領域は、複数の参照要素領域に区分けされ、
少なくとも、前記対向方向に沿って投影されたときに前記光源と重なる参照要素領域に隣接する参照要素領域の各々には、孔参照位置が定められ、
前記孔参照位置を前記光源からの距離に応じて複数の参照孔群に分類し、前記光源からの距離の序列がｎ番目である孔参照位置が分類される参照孔群をｎ番目の序列の参照孔群とする場合、
少なくとも前記基準線から相対的に近い第３の範囲において、前記基準線を中心に、ｎ番目の序列の参照孔群に分類される孔参照位置を参照孔群単位で回転移動させた後の位置に、ｎ番目の序列の孔群に分類される光透過部が配置される請求項１〜４のいずれか一項に記載の面光源装置。
【請求項６】
前記第３の範囲において、
前記基準線を中心に、ｎ番目の序列の参照孔群に分類される孔参照位置を参照孔群単位で第１の角度だけ回転移動させた後の位置に、ｎ番目の序列の孔群に分類される光透過部が配置され、
前記基準線を中心に、（ｎ＋１）番目の序列の参照孔群に分類される孔参照位置を参照孔群単位で第２の角度だけ回転移動させた後の位置に、（ｎ＋１）番目の序列の孔群に分類される光透過部が配置され、
前記第１の角度及び前記第２の角度は相互に異なり、且つ、前記第１の角度及び前記第２の角度は−４５°以上４５°未満である請求項５に記載の面光源装置。
【請求項７】
前記基準線から相対的に遠く且つ前記第３の範囲とは重複しない第４の範囲において、
ｎ番目の序列の孔群に分類される光透過部は、ｎ番目の序列の参照孔群に分類される孔参照位置の位置に配置される請求項６に記載の面光源装置。
【請求項８】
前記複数の参照要素領域の各々の平面形状は長方形である請求項５〜７のいずれか一項に記載の面光源装置。
【請求項９】
前記複数の参照要素領域の各々の平面形状は六角形である請求項５〜７のいずれか一項に記載の面光源装置。
【請求項１０】
前記光源の直上の位置以外に配置される前記光透過部のうち、前記光源に最も近い位置に配置される光透過部の数は４である請求項１〜８のいずれか一項に記載の面光源装置。
【請求項１１】
前記光源の直上の位置以外に配置される前記光透過部のうち、前記光源に最も近い位置に配置される光透過部の数は６である請求項１〜７及び９のいずれか一項に記載の面光源装置。
【請求項１２】
前記照度分布調整板を介して前記光源とは反対側に配置され、前記光を拡散する拡散板を更に備える請求項１〜１１のいずれか一項に記載の面光源装置。
【請求項１３】
前記複数の光透過部は、前記光源からの距離が遠くなるほど、対応の要素領域における開口率が増大する請求項１〜１２のいずれか一項に記載の面光源装置。
【発明の詳細な説明】
【技術分野】
【０００１】
本発明は、面光源装置に関する。
【背景技術】
【０００２】
液晶表示パネルを背面側から照明するバックライトとして、面状に発光する面光源装置が広く普及している。面光源装置は、光学部材の側方に光源を配置するエッジライト型と、光学部材の直下に光源を配置する直下型とに大別される。
【０００３】
エッジライト型の面光源装置は薄型化が比較的容易である。そのため車載用の液晶表示装置などの薄型化が求められている液晶表示装置では、バックライトとしてエッジライト型の面光源装置が用いられてきた。その一方で、車載用の液晶表示装置では、窓から差し込む外光の下での視認性を確保するために、表示を明るくすることが求められている。エッジライト型の面光源装置を使って明るい表示を得ようとする場合、光学部材の側方に多数の光源を密に配置する必要がある。しかしながら車載用の液晶表示装置は狭い空間に配置されることが多く、狭い空間に多数の光源が密に配置されると、光源から生じる熱が外方へ十分に放出されず、液晶表示装置は高温になって誤動作を生じる虞がある。一方、直下型の面光源装置をバックライトとして用いる場合、複数の光源を互いに離間して配置することができるので、光源から生じる熱を適切に放出することができ、液晶表示装置の誤動作等の不具合を有効に回避することができる。したがって車載用の液晶表示装置においては、直下型の面光源装置をバックライトとして用いつつ、この面光源装置を薄型化することが求められている。
【０００４】
直下型の面光源装置において、装置を薄型化しつつ映像の明るさのムラを抑えるために、光源と液晶表示パネルとの間に照度分布調整板を配置し、この照度分布調整板により光の照度分布を調整する技術が知られている。この照度分布調整板は、反射部材で構成され、多数の光透過孔を有する。通常は、一つの光源によってカバーするエリアを複数の細かい要素領域に分割し、一つの要素領域に一つの光透過孔を配置して、光源からの距離が大きくなるに従って光透過孔の開口率が大きくなるように、照度分布調整板が設計される。これにより照度分布調整板を通過する光の分布を均一化し、映像の明るさのムラを抑えることが可能である。
【０００５】
例えば特許文献１が開示する直下型の面照明光源装置は複数の開口部を有する光学反射板を備えており、光学反射板の中心から外方に遠ざかるに従い、開口部の開口率が大きくなる。
【先行技術文献】
【特許文献】
【０００６】
【特許文献１】特許第４５３８６７５号公報
【発明の概要】
【発明が解決しようとする課題】
【０００７】
上述のように直下型の面光源装置では、照度分布調整板を用いることで照度分布の均一化を促すことができる。しかしながら、照度分布調整板において複数の光透過孔が規則的に配置されていると、照明光において暗部が規則的に生じることがある。特に、連続的に暗部が生じると、スジ状の暗部が観察者によって視認される場合がある。例えば、多数の光透過孔が格子状に配置され、隣り合う光透過孔間で生じる暗部が直線的に連続して存在する場合、スジ状の暗部が観察者によって視認されることがある。
【０００８】
このような暗部は、複数の光透過孔が等ピッチで同軸上に配置されている場合（特に照度分布調整板のうち光透過孔が形成されていない部分が直線的に延在する場合）に視認されやすい。
【０００９】
なお、照度分布調整板の光出射側に拡散層を配置することによって、照度分布調整板から出射する光の分布の均一化を更に促すことができる。その一方で、面光源装置の薄型化の要求が高まっており、拡散層も薄くすることが求められている。しかしながら拡散層が薄くなるほど、拡散層における光の拡散の程度は弱くなる。そのため拡散層が薄い場合には、照度分布調整板の光透過孔から拡散層に入射した光が必ずしも十分には拡散せず、照明光において暗部が目立つことがある。このように拡散層が設けられていても、拡散層が薄い場合には、照明光においてスジ状の暗部が視認されることがある。
【００１０】
本発明は上述の事情に鑑みてなされたものであり、照度分布調整板によって照度分布の均一化を促しつつ、照明光において暗部を目立ちにくくすることができる面光源装置を提供することを目的とする。
【課題を解決するための手段】
【００１１】
本発明の一態様は、光源と、光源から対向方向に離れた位置において光源と対向して配置される照度分布調整板であって、光源から出射した光の照度分布を調整する照度分布調整板と、を備える面光源装置であって、照度分布調整板は、光を透過させる複数の光透過部が形成された基材を有し、基材は、１以上の区画領域を有し、光源を通過し且つ対向方向と平行に延びる直線を基準線として定め、基準線と交わる直線を第１の直線として定めた場合、第１の直線は、以下の２つの条件のうちの少なくともいずれか一方を満たさない、
・第１の直線は、複数の光透過部のうち光源の直上以外の位置に配置される３以上の光透過部のそれぞれの中心を通過する、
・３以上の光透過部のうち光源に最も近い位置に配置される光透過部の中心位置と基準線との間の間隔をＰｒで表した場合、３以上の光透過部の各々と基準線との間の間隔はＰｒの整数倍である、
面光源装置に関する。
【００１２】
複数の光透過部を光源からの距離に応じて複数の孔群に分類し、光源からの距離の序列がｎ番目（ただしｎは０を含まない自然数）である光透過部が分類される孔群をｎ番目の序列の孔群とする場合、複数の孔群のうち、少なくとも２つの光透過部が分類される孔群において、少なくとも２つの光透過部は、基準線を中心とした円周方向に隣り合う光透過部が基準線を基準として形成する角度が等角度となるように配置されてもよい。
【００１３】
対向方向に対して直角に延びる直線を第２の直線及び第３の直線として定めた場合、第２の直線は、以下の２つの条件のうちの少なくともいずれか一方を満たさず、
・第２の直線は、複数の光透過部のうち、基準線から相対的に近い第１の範囲において光源の直上以外の位置に配置される３以上の光透過部のそれぞれの中心を通過する、
・第２の直線が通過する第１の範囲における３以上の光透過部は、第２の直線に沿って隣り合う光透過部の中心間の距離が一定である、
第３の直線は、以下の２つの条件を満たさなくてもよい。
・第３の直線は、複数の光透過部のうち、基準線から相対的に遠く且つ第１の範囲とは重複しない第２の範囲に配置される３以上の光透過部のそれぞれの中心を通過する。
・第３の直線が通過する第２の範囲における３以上の光透過部は、第３の直線に沿って隣り合う光透過部の中心間の距離が一定である。
【００１４】
各区画領域は、複数の要素領域に区分けされ、少なくとも、対向方向に沿って投影されたときに光源と重なる要素領域に隣接する要素領域の各々には、光透過部が形成され、第１の範囲に配置される各光透過部は、対応の要素領域において５０％以下の開口率を示してもよい。
【００１５】
各区画領域は、複数の参照要素領域に区分けされ、少なくとも、対向方向に沿って投影されたときに光源と重なる参照要素領域に隣接する参照要素領域の各々には、孔参照位置が定められ、孔参照位置を光源からの距離に応じて複数の参照孔群に分類し、光源からの距離の序列がｎ番目である孔参照位置が分類される参照孔群をｎ番目の序列の参照孔群とする場合、少なくとも基準線から相対的に近い第３の範囲において、基準線を中心に、ｎ番目の序列の参照孔群に分類される孔参照位置を参照孔群単位で回転移動させた後の位置に、ｎ番目の序列の孔群に分類される光透過部が配置されてもよい。
【００１６】
第３の範囲において、基準線を中心に、ｎ番目の序列の参照孔群に分類される孔参照位置を参照孔群単位で第１の角度だけ回転移動させた後の位置に、ｎ番目の序列の孔群に分類される光透過部が配置され、基準線を中心に、（ｎ＋１）番目の序列の参照孔群に分類される孔参照位置を参照孔群単位で第２の角度だけ回転移動させた後の位置に、（ｎ＋１）番目の序列の孔群に分類される光透過部が配置され、第１の角度及び第２の角度は相互に異なり、且つ、第１の角度及び第２の角度は−４５°以上４５°未満であってもよい。
【００１７】
基準線から相対的に遠く且つ第３の範囲とは重複しない第４の範囲において、ｎ番目の序列の孔群に分類される光透過部は、ｎ番目の序列の参照孔群に分類される孔参照位置の位置に配置されてもよい。
【００１８】
複数の参照要素領域の各々の平面形状は長方形であってもよい。
【００１９】
複数の参照要素領域の各々の平面形状は六角形であってもよい。
【００２０】
光源の直上の位置以外に配置される光透過部のうち、光源に最も近い位置に配置される光透過部の数は４であってもよい。
【００２１】
光源の直上の位置以外に配置される光透過部のうち、光源に最も近い位置に配置される光透過部の数は６であってもよい。
【００２２】
面光源装置は、照度分布調整板を介して光源とは反対側に配置され、光を拡散する拡散板を更に備えてもよい。
【００２３】
複数の光透過部は、光源からの距離が遠くなるほど、対応の要素領域における開口率が増大してもよい。
【発明の効果】
【００２４】
本発明によれば、照度分布調整板によって照度分布の均一化を促しつつ、照明光において暗部を目立ちにくくすることができる。
【図面の簡単な説明】
【００２５】
【図１】図１は、表示パネルと面光源装置を備えた表示装置の一例を概略的に示す図である。
【図２】図２は、面光源装置の一例を概略的に示す斜視図である。
【図３】図３は、面光源装置に組み込まれた照度分布調整板の一例を示す平面図である。
【図４】図４は、図３のＩＶ−ＩＶ線に沿った面光源装置の断面を示す図である。
【図５】図５は、照度分布調整板の一つの区画領域を示す平面図であって、要素領域及び光透過孔の配置パターンの一例を示す図である。
【図６】図６は、図５に示す照度分布調整板と比較される照度分布調整板（比較例）における一つの区画領域を示す平面図である。
【図７】図７は、基準線（光源）及び光透過孔の配置関係を例示する概略平面図であり、光源の近くに配置される三つの光透過孔のみが抜粋されて示されている。
【図８】図８は、基準線（光源）及び光透過孔の配置関係を例示する概略平面図であり、光源の近くに配置される三つの光透過孔のみが抜粋されて示されている。
【図９】図９は、基準線（光源）及び光透過孔の配置関係を例示する概略平面図であり、光源の近くに配置される三つの光透過孔のみが抜粋されて示されている。
【図１０】図１０は、基準線（光源）及び光透過孔の配置関係を例示する概略平面図であり、光源の近くに配置される三つの光透過孔のみが抜粋されて示されている。
【図１１】図１１は、照度分布調整板の一つの区画領域を示す平面図であって、参照要素領域の配置パターン（調整前）の一例を示す図である。
【図１２】図１２は、図１１に示す参照要素領域の配置パターンに基づいて導き出された参照要素領域の配置パターン（調整後）を示す図であり、図１２に示す参照要素領域は図５に示す要素領域と一致する。
【発明を実施するための形態】
【００２６】
以下、図面を参照して本発明の一実施の形態について説明する。なお、本件明細書に添付する図面においては、図示と理解のしやすさの便宜上、適宜縮尺及び縦横の寸法比等を、実物のそれらから変更し誇張してある。
【００２７】
本明細書において、「板」、「シート」、「フィルム」の用語は、呼称の違いのみに基づいて、互いから区別されるものではない。例えば、「板」は「シート」や「フィルム」と呼ばれうるような部材をも含む概念であり、したがって、例えば、「照度分布調整板」は、「照度分布調整シート」や「照度分布調整フィルム」と呼ばれる部材と、呼称の違いのみにおいて区別され得ない。
【００２８】
また、「板面（シート面、フィルム面）」とは、対象となる板状（シート状、フィルム状）の部材を全体的且つ大局的に見た場合において対象となる板状部材（シート状部材、フィルム状部材）の平面方向と一致する面のことを指す。なお、本明細書において、面及び板状（シート状、フィルム状）の部材の法線方向とは、対象となる面及び板状（シート状、フィルム状）の部材の板面への法線方向のことを指す。
【００２９】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待しうる程度の範囲を含めて解釈することとする。
【００３０】
図１は、表示パネル１５と面光源装置２０を備えた表示装置１０の一例を概略的に示す図である。図２は、面光源装置２０の一例を概略的に示す斜視図である。
【００３１】
本実施の形態の表示装置１０は、例えば動画、静止画、文字情報、或いはこれらの組み合わせで構成された映像を表示パネル１５に表示する装置である。本実施の形態では、表示装置１０が車載用の液晶表示装置である例について説明するが、これに限られることなく、表示装置１０は、室内又は屋外において、広告、プレゼンテーション、テレビジョン映像、各種情報の表示等、様々な用途に使用されうる。図１に示された表示装置１０は、出光面２０ａを有する面光源装置２０と、出光面２０ａと対向して配置された表示パネル１５と、を有している。図示された例では、表示パネル１５は液晶表示パネルとして構成されており、したがって表示装置１０は液晶表示装置として構成されている。本実施の形態では、面光源装置２０はいわゆる直下型のバックライトを構成しており、表示パネル１５の背面側（すなわち観察者５とは反対側）から表示パネル１５を照明する。
【００３２】
図示された例では、表示パネル１５は、映像が表示される表示面１５ａが面光源装置２０とは反対側を向くように配置されている。これにより、表示パネル１５の表示面１５ａが表示装置１０の表示面１０ａを形成する。表示パネル１５は、表示パネル１５の法線方向から見て、すなわち平面視において、矩形形状に形成されている。
【００３３】
本実施の形態の表示パネル１５は、透過型の液晶表示パネルであり、面光源装置２０から表示パネル１５に入射した光の一部を透過させ、表示面１５ａに映像を表示させる。表示パネル１５は、液晶材料を有する液晶層を含んでおり、表示パネル１５の光透過率は、液晶層に印加される電界の強度に応じて変化する。このような表示パネル１５の一例として、一対の偏光板と、一対の偏光板間に配置された液晶セル（液晶層）と、を有する液晶表示パネルを用いることができる。この液晶表示パネルにおいて、偏光板は、入射した光を直交する二つの偏光成分に分解し、一方の方向の偏光成分を透過させ、一方の方向に直交する他方の方向の偏光成分を吸収する機能を有した偏光子を有する。液晶セルは、一対の支持板と、一対の支持板間に配置された液晶と、を有する。液晶セルは、一つの画素を形成する領域毎に電界が印加されうるようになっており、電界が印加された液晶セルの液晶の配向は変化するようになる。面光源装置２０から出射し、液晶セルの面光源装置２０側に配置された偏光板を透過した特定方向（透過軸と平行な方向）の偏光成分は、一例として、電界印加されていない液晶セルを通過する際にはその偏光方向を９０°回転させ、電界印加されている液晶セルを通過する際にはその偏光方向を維持する。これにより、液晶セルへの電界印加の有無によって、液晶セルの面光源装置２０側に配置された偏光板を透過した特定方向の偏光成分が、液晶セルの面光源装置２０と反対側に配置された他の偏光板を更に透過するか、或いは、当該他の偏光板で吸収されて遮断されるか、を制御することができる。
【００３４】
面光源装置２０は、面状の光を出射する出光面２０ａを有しており、出光面２０ａの法線方向に出光面２０ａと対向する領域内に光源２２が設けられた、いわゆる直下型のバックライトとして構成されている。図２に示されているように、本実施の形態の面光源装置２０は、ベース積層体３０、スペーサ２３、照度分布調整板４０、拡散板２６、第１光学シート２７及び第２光学シート２８を有している。図示された例では、ベース積層体３０上にスペーサ２３及び照度分布調整板４０が順に積層され、照度分布調整板４０から所定の距離だけ離間して、拡散板２６、第１光学シート２７及び第２光学シート２８の積層体が配置されている。すなわち拡散板２６は、空隙層５１を介して照度分布調整板４０上に配置されている。ただし、拡散板２６は照度分布調整板４０上に直接的に配置されてもよく、拡散板２６と照度分布調整板４０との間に空隙層５１が設けられていなくてもよい。また拡散板２６が設けられていなくてもよい。そして、第２光学シート２８が面光源装置２０の出光面２０ａをなしている。
【００３５】
図３は、面光源装置２０に組み込まれた照度分布調整板４０の一例を示す平面図である。図４は、図３のＩＶ−ＩＶ線に沿った面光源装置２０の断面を示す図である。とりわけ図４は、照度分布調整板４０の基材４１における一つの区画領域Ａａに対応する面光源装置２０の断面を示している。なお本実施の形態では、照度分布調整板４０に形成される多数の光透過孔４５の配置が複雑なため、図４には一部の光透過孔４５が代表的に図示されている。本実施の形態に係る光透過孔４５の具体的な配置例は、後述の図５において示されている。
【００３６】
光源２２は、例えば発光ダイオード（ＬＥＤ）等で構成され、照度分布調整板４０と対向して配置されている。本実施の形態では、図３によく示されているように、光源２２は、面光源装置２０の板面に平行な第１方向ｄ１に沿って並べて配置されるすなわち配列されるとともに、面光源装置２０の板面に平行且つ第１方向ｄ１と交差する第２方向ｄ２に沿って配列される。とりわけ本実施の形態では、第１方向ｄ１と第２方向ｄ２とは直角をなす。すなわち、本実施の形態では、複数の光源２２が第１方向ｄ１及び第２方向ｄ２に沿って２次元的に配列される。なお、これに限られず、面光源装置２０は、第１方向ｄ１又は第２方向ｄ２に沿って一列に配列された複数の光源２２を有していてもよいし、一つの光源２２のみを有していてもよい。なお、各光源２２の出力、すなわち、各光源２２の点灯及び消灯、及び／又は、各光源２２の点灯時の明るさは、他の光源２２の出力から独立して調節されうることが好ましい。
【００３７】
照度分布調整板４０は、光源２２から対向方向ｄ３に離れた位置において光源２２と対向して配置され、光源２２から出射した光の照度分布を調整する。図３に示された例では、照度分布調整板４０の輪郭は平面視において矩形形状を有している。第１方向ｄ１及び第２方向ｄ２は任意に定義できるが、図示された例では、第１方向ｄ１は照度分布調整板４０の輪郭をなす矩形形状の１辺と平行をなすように定義され、第２方向ｄ２は当該１辺と直交する他の１辺と平行をなすように定義される。とりわけ図示された例では、第１方向ｄ１は照度分布調整板４０の輪郭をなす矩形形状の長辺と平行をなすように定義され、第２方向ｄ２は当該矩形形状の短辺と平行をなすように定義される。
【００３８】
スペーサ２３は、照度分布調整板４０を支持する部材であり、ベース積層体３０と照度分布調整板４０との間を所定の距離に保つ機能を有している。図２及び図３に示されているように、スペーサ２３は、隣り合う二つの光源２２の間を仕切る壁部２４を有しており、これにより、各光源２２に対応して、壁部２４で囲まれた開口２５が形成されている。図示された例では、スペーサ２３は、平面視において、第１方向ｄ１に配列され第２方向ｄ２に延びる複数の壁部２４と、第２方向ｄ２に配列され第１方向ｄ１に延びる複数の壁部２４と、が格子をなすように配置されている。開口２５は、光源２２の配置パターンに対応して設けられる。すなわち、スペーサ２３は、第１方向ｄ１に配列されるとともに、第２方向ｄ２に配列された、複数の開口２５を有している。本実施の形態では、各開口２５は、平面視において矩形とりわけ正方形をなして形成されているが、これに限られず、各開口２５は、平面視において三角形、六角形、円形等の他の形状をなしていてもよい。このようなスペーサ２３は、例えばポリカーボネート樹脂、アクリロニトリル−ブタジエン−スチレン共重合樹脂（ＡＢＳ樹脂）、アクリロニトリル−スチレン−アクリレート共重合樹脂（ＡＳＡ樹脂）、アクリロニトリル−ブタジエン−スチレン共重合樹脂（ＡＥＳ樹脂）、ポリメチルメタクリレート樹脂（ＰＭＭＡ樹脂）、ポリアセタール樹脂、ポリ塩化ビニル樹脂、ポリエチレン樹脂、ポリプロピレン樹脂、ポリエチレンテレフタレート樹脂、又はこれらの樹脂を２種以上混合した混合物等で形成することができる。とりわけスペーサ２３は、可視光波長域の光に対する高い反射性を有する材料で構成されることが好ましい。
【００３９】
図３では、照度分布調整板４０の背面側に配置される光源２２及びスペーサ２３の開口２５の位置が破線で示されている。照度分布調整板４０は、光源２２から出射した光を透過させるための複数の光透過孔（光透過部）４５が形成された基材４１を有する。なお、図３では、光透過孔４５の図示は省略されている。照度分布調整板４０の基材４１は、各光源２２に対応した１以上の区画領域Ａａを有している。図示の基材４１は複数の区画領域Ａａを有し、一つの光源２２に対して一つの区画領域Ａａが設けられている。したがって、基材４１は、第１方向ｄ１に沿って配列されるとともに、第２方向ｄ２に沿って配列された、複数の区画領域Ａａを有している。図３では、基材４１における一点鎖線で区画された領域がそれぞれの区画領域Ａａを示している。図示された例では、各区画領域Ａａは平面視で矩形形状に形成されているが、区画領域Ａａの形状はこれに限られない。なお、各区画領域Ａａは、複数の要素領域Ａｂに更に区分けされる。要素領域Ａｂの具体的な形状及び配列パターンについては後述する。
【００４０】
図３に示された例では、基材４１の隣り合う区画領域Ａａを区画する区画線Ｌａは、スペーサ２３の壁部２４に沿って定義される。言い換えると、区画線Ｌａは、照度分布調整板４０の法線方向に沿ってスペーサ２３の壁部２４と対向する領域内に位置するように定義される。結果として、区画線Ｌａは、全体として、第１方向ｄ１に配列され第２方向ｄ２に延びる複数の区画線Ｌａと、第２方向ｄ２に配列され第１方向ｄ１に延びる複数の区画線Ｌａと、が格子をなすように定義される。図示された例では、各区画領域Ａａは、第１方向ｄ１に沿った幅Ｗ１と、第２方向ｄ２に沿った幅Ｗ２とを有する。この幅Ｗ１及び幅Ｗ２は、例えば５ｍｍ以上５０ｍｍ以下とすることができる。
【００４１】
ベース積層体３０は、光源２２を支持するとともに、光源２２に対して電源を供給する機能を有する。図４に示された例では、ベース積層体３０は、基材３１、接合層３２、フィルム基板３３、配線層３４、レジスト層３５及び光反射層３６を有している。
【００４２】
基材３１は、フィルム基板３３、配線層３４、レジスト層３５及び光反射層３６を保持する基材として機能する部材である。基材３１の材料としては、フィルム基板３３、配線層３４、レジスト層３５及び光反射層３６を適切に保持することができるものであれば特に限られないが、例えば金属や樹脂等を用いることができる。とりわけアルミニウム等の熱伝導性の良い金属材料で形成された基材３１を用いると、光源２２で生じた熱をこの基材３１を介して面光源装置２０の背面側へ向けて放出することができるので、より好ましい。この基材３１の厚さは、例えば０．２ｍｍ以上１０ｍｍ以下とすることができる。なお、基材３１は、面光源装置２０の筐体の一部をなしていてもよい。
【００４３】
フィルム基板３３は、配線層３４を保持する基材として機能する部材であり、配線層３４とともにプリント配線板を形成する。図４に示されたフィルム基板３３は、可撓性を有する樹脂フィルムで形成されており、これによりフィルム基板３３は、配線層３４とともにフレキシブルプリント配線板を形成する。このフィルム基板３３の厚さは、例えば１０μｍ以上５００μｍ以下とすることができる。フィルム基板３３として、従来のリジッド基板よりも薄い基板を用いることにより、面光源装置２０を薄型化することができる。フィルム基板３３の材料としては、絶縁性、耐熱性、耐久性、加熱時の寸法安定性、機械的強度等を考慮して適宜選択されうるが、例えば、ポリイミド（ＰＩ）や、ポリエチレンナフタレート（ＰＥＮ）、ポリエチレンテレフタレート（ＰＥＴ）を用いることができる。
【００４４】
フィルム基板３３は、接合層３２を介して基材３１に固定される。接合層３２は、フィルム基板３３を適切に基材３１に固定できるものであれば特に限られない。一例として、接合層３２として両面テープを用いることができる。その他にも、接合層３２として適宜の接着剤や粘着剤が用いられてもよい。また接合層３２に加えて或いは接合層３２の代わりに、フィルム基板３３及び基材３１の各々に孔を形成し、これらの孔にネジ、ピン或いはリベット等の固定具を配置して、当該固定具によりフィルム基板３３及び基材３１を相互に固定することも可能である。
【００４５】
配線層３４は、フィルム基板３３上に設けられ、光源２２に対して電源を供給する機能を有する。そのため、配線層３４は、導電性の高い金属材料で形成されることが好ましい。配線層３４を形成する金属材料としては、例えば、銅、アルミニウム、金、銀等又はこれらの合金等の金属材料を挙げることができる。一例として、配線層３４は、サブトラクト法を用いて形成することができる。すなわち、フィルム基板３３上に配置された銅箔等の金属層を、フォトリソグラフィー技術を用いたエッチングによりパターニングすることにより、所望のパターンを有する配線層３４を形成することができる。なお、これに限られず、配線層３４は、アディティブ法やセミアディティブ法等の他の方法を用いて形成されてもよい。なお、配線層３４における、光源２２や他の配線又はコネクタとの接続部には、電極部が設けられる。
【００４６】
配線層３４、及び、配線層３４から露出したフィルム基板３３上には、レジスト層３５が設けられる。とりわけレジスト層３５は、配線層３４の電極部となる箇所を除いて、配線層３４、及び、配線層３４から露出したフィルム基板３３を覆うようにして設けられる。このレジスト層３５は、配線層３４を保護するとともに、配線層３４と他の部材との間の短絡を防止する機能を有する。レジスト層３５の材料としては、例えば、ポリエステル系樹脂、エポキシ系樹脂、エポキシ系及びフェノール系樹脂、エポキシアクリレート樹脂、シリコーン系樹脂等の樹脂材料を用いることができる。またレジスト層３５自体が光反射性能を有していてもよく、例えば酸化チタンなどの白色顔料が混ぜられた材料によってレジスト層３５を構成してもよい。レジスト層３５は、一例として、配線層３４及びフィルム基板３３全体を覆うように樹脂層を設け、フォトリソグラフィー技術を用いたエッチングにより配線層３４の電極部となる箇所に、当該電極部を露出させる開口を設けることにより形成することができる。
【００４７】
光反射層３６は、光源２２から出射した光の利用効率を向上させるために設けられる層であり、光源２２から出射して照度分布調整板４０で反射されてその光路が光反射層３６側に向けられて曲げられた光を、再び照度分布調整板４０へ向けて反射させる機能を有する。そのため、光反射層３６は、可視光波長域の光に対する高い反射性を有する層であることが好ましい。また、光反射層３６は、照度分布調整板４０の光源２２と同じ側に照度分布調整板４０と平行をなして配置される。図４に示された例では、光反射層３６は、光源２２が配置されるべき箇所を除いて、レジスト層３５上に積層されている。図示された例では、光反射層３６は、平面視において光源２２を囲むようにして配置されている。また、図示された例では、光反射層３６は、レジスト層３５の光源２２を囲む内周縁部を露出させるようにして設けられている。なお、これに限られず、光反射層３６は、例えばレジスト層３５の光源２２を囲む内周縁部が露出しないように、レジスト層３５の内周縁部と光反射層３６の内周縁部が一致するようにして設けられていてもよい。光反射層３６としては、例えば白色の樹脂材料で形成された層を用いることができる。また、レジスト層３５自体が反射性能を有する場合（例えばレジスト層３５が酸化チタンなどの白色顔料を含む場合）には、レジスト層３５によっても光を照度分布調整板４０に向けて反射することができ、光の利用効率を向上させることができる。
【００４８】
光源２２は、導電接続層３７を介して配線層３４の電極部に接続されている。導電接続層３７としては、例えば、はんだ、導電性接着剤等からなる層を用いることができる。
【００４９】
拡散板２６は、照度分布調整板４０を介して光源２２とは反対側において、空隙層５１を介して照度分布調整板４０上に配置され、又は、照度分布調整板４０上に直接的に配置される。この拡散板２６は、当該拡散板２６に入射した光を拡散する機能を有した板状部材であり、これにより、照度の面内分布を均一化させ、照度分布調整板４０の光透過孔４５の像を目立たなくさせることができる。拡散板２６としては、光拡散機能を有する部材であれば特に限定されることなく使用可能であるが、例えば、表面に微細な凹凸を有する樹脂板やガラス板、内部に拡散粒子を有する樹脂板やガラス板を用いることができる。
【００５０】
本実施の形態における第１光学シート２７は、光源２２側から入射した光の進行方向を変化させて表示パネル１５側から出射させ、第１光学シート２７の法線方向における照度を集中的に向上させるための集光シートである。本実施の形態の集光シートは、そのシート面上のある方向に沿って配列された複数の単位プリズムを有したシートである。この集光シートとしては、例えば米国３Ｍ社から入手可能な「ＢＥＦ」（登録商標）を用いることができる。
【００５１】
また、本実施の形態における第２光学シート２８は、その透過軸と平行な方向の偏光成分を透過させ、その透過軸に直交する反射軸と平行な方向の偏光成分を反射する反射型偏光板である。この反射型偏光板によれば、面光源装置２０から出射し表示パネル１５で有効に利用され得ない偏光成分の光が、当該表示パネル１５へ入射して偏光板で吸収されてしまうことを防止することができる。したがって、光源光の利用効率を向上させて、照度特性を改善することができる。この反射型偏光板としては、例えば米国３Ｍ社から入手可能な「ＤＢＥＦ」（登録商標）を用いることができる。
【００５２】
このような拡散板２６、第１光学シート２７及び第２光学シート２８としては、いずれも、面光源装置２０の十分な照度を確保する観点から、可視光透過率の高いものを用いることが好ましい。
【００５３】
次に、本実施の形態の照度分布調整板４０について詳述する。
【００５４】
図５は、照度分布調整板４０の一つの区画領域Ａａを示す平面図であって、要素領域Ａｂ及び光透過孔４５の配置パターンの一例を示す図である。照度分布調整板４０は、光源２２から出射した光を透過させる複数の光透過孔４５が形成された基材４１を有する。複数の光透過孔４５は、各区画領域Ａａ内において、区画領域Ａａの中心Ｃから離れるほどその開口面積が大きくなるパターンにて配置されている。図示の例では、各光源２２の中心（すなわち光源２２の発光部分の平面視形状の重心）と、対応の区画領域Ａａの中心Ｃとは、対向方向ｄ３と平行に延びる同一直線（すなわち後述の「基準線Ｌｒ」）上に位置する。なお対向方向ｄ３は、光源２２が照度分布調整板４０に対して対向する方向であり、図示の例では、面光源装置２０を構成するベース積層体３０、スペーサ２３及び照度分布調整板４０等の構成要素の積層方向であり、第１方向ｄ１及び第２方向ｄ２の各々と直角をなす方向であり、平板構造を持つ照度分布調整板４０の法線方向と一致する。
【００５５】
したがって照度分布調整板４０に形成された複数の光透過孔４５は、光源２２からの距離が遠くなるほど、対応の要素領域Ａｂにおける開口率（＝光透過孔の面積／要素領域の面積）が増大する。照度分布調整板４０は、光源２２から出射した光の利用効率を向上させる機能も有しており、当該照度分布調整板４０に入射した光を反射させてその光路を光反射層３６側に向けて曲げることができるように構成されている。このため、照度分布調整板４０の基材４１は、可視光波長域の光に対する高い反射性を有する層であることが好ましい。基材４１は、例えば白色の樹脂材料で形成される。一例として、基材４１は、発泡ポリエチレンテレフタレート（発泡ＰＥＴ）等の発泡樹脂で形成されてもよい。
【００５６】
本実施の形態では、照度分布調整板４０は、低い光透過性を有する材料で形成された基材４１を有し、光透過孔４５は、基材４１に形成された物理的な孔、すなわち対向する基材４１の二つの主面のうちの一方の主面から他方の主面へ延びる貫通孔として形成されているが、光透過孔４５の具体的構成は、これに限られない。光透過孔４５は、照度分布調整板４０の板面への法線方向の一方側から他方側へ光が透過可能な部分として形成されていればよく、例えば、照度分布調整板４０が、光透過性を有する板状の透明基材と、この透明基材上とりわけ透明基材の光源２２側の主面上に設けられた光反射層と、を有し、光透過孔４５が、この光反射層内に設けられた開口部として構成されてもよい。この場合、透明基材には物理的な孔を設けなくてもよい。すなわち光透過孔（光透過部）４５の概念には、物理的な孔だけではなく、光を透過可能な部分も含まれる。
【００５７】
図４に示されているように、光源２２から照度分布調整板４０へ向けて出射した光は、照度分布調整板４０で反射されて光反射層３６側へ向けて進む。光反射層３６に入射した光は、当該光反射層３６で反射されて照度分布調整板４０へ向けて進む。これを繰り返した光が照度分布調整板４０の光透過孔４５のいずれかに入射すると、当該光は光透過孔４５を透過して照度分布調整板４０から表示パネル１５側（図４では拡散板２６側）へ向けて出射する。このとき、光源２２から出射して照度分布調整板４０と光反射層３６との間で反射を繰り返しながら照度分布調整板４０の板面と略平行な方向（一例として図４の第１方向ｄ１）に進む光は、光源２２から離れるにしたがって照度が低下していく。しかし、本実施の形態の照度分布調整板４０では、上述のように、複数の光透過孔４５が、光源２２の直上において光源２２と対面する区画領域Ａａの中心Ｃから離れるほどその開口面積が大きくなるパターンにて配置されているので、各光透過孔４５を透過して出射する光の照度の均一化が図られる。なお、スペーサ２３が可視光波長域の光に対する高い反射性を有する材料で構成されている場合、照度分布調整板４０の板面と略平行な方向に進み、スペーサ２３の壁部２４に入射した光は、当該スペーサ２３で反射され光源２２側へ向けてその光路を曲げられる。これにより、光源２２から出射した光の利用効率を更に向上させることができる。
【００５８】
図５に示された区画領域Ａａは、複数の要素領域Ａｂに更に区分けされる。各区画領域Ａａにおける複数の要素領域Ａｂの配置は、一例として後述のように複数の参照要素領域及び孔参照位置（図１１及び図１２の符号「Ａｄ」及び「５５」参照）に基づいて決定することができる。
【００５９】
図５では、照度分布調整板４０の背面側に配置される光源２２の位置が破線で示されている。複数の要素領域Ａｂは、基材４１の法線方向に沿って投影されたときに光源２２と重なる要素領域Ａｂ１を含んでいる。とりわけ図示された例では、一つの要素領域Ａｂ１が区画領域Ａａの中心Ｃに位置している。ここで、要素領域Ａｂ１が、基材４１の法線方向に沿って投影されたときに光源２２と重なるとは、当該要素領域Ａｂ１の少なくとも一部が、基材４１の法線方向に沿って投影されたときに光源２２と重なることを指す。したがって、光源２２と区画領域Ａａとの相対的な位置関係は、図５に示す例には限定されない。例えば、三つの要素領域Ａｂ１に共有された頂点が、基材４１の法線方向に沿って投影されたときに光源２２の中心と重なるように、複数の要素領域Ａｂが配置されてもよく、この場合には、当該頂点を含む三つの要素領域Ａｂ１がそれぞれ、基材４１の法線方向に沿って投影されたときに光源２２と重なることになる。
【００６０】
少なくとも、基材４１の法線方向に沿って投影されたときに光源２２と重なる要素領域Ａｂ１に隣接する要素領域Ａｂ２の各々には、一つの光透過孔４５が形成されている。すなわち、要素領域Ａｂ１といずれかの辺を互いに共有して隣接する複数の要素領域Ａｂ２（図示の例では六つの要素領域Ａｂ２）に、それぞれ一つの光透過孔４５が形成されている。図５に示す例では、要素領域Ａｂ１を除くすべての要素領域Ａｂ（要素領域Ａｂ２を含む）にそれぞれ一つの光透過孔４５が形成されている。言い換えると、要素領域Ａｂ１以外の要素領域Ａｂは、それぞれ一つの光透過孔４５が含まれるようにして定義される。したがって、隣り合う二つの光透過孔４５の間に、それぞれ隣り合う要素領域Ａｂを区画する区画線が位置するようになる。より詳細には、隣り合う要素領域Ａｂを区画する区画線は、隣り合う二つの光透過孔４５の中心同士を結ぶ線分の、基材４１の板面に沿った垂直二等分線の一部として定義されうる。これは、いわゆるボロノイ分割と呼ばれる手法に準拠しており、各光透過孔４５の中心を母点として定め、隣り合う母点間を結ぶ直線に垂直二等分線を引くことによって、各母点に割り当てられる分割領域（すなわち各光透過孔４５に割り当てられる要素領域Ａｂ）を定めることができる。
【００６１】
なお、図５に示された例では、要素領域Ａｂ１には光透過孔４５が形成されていないが、これに限られず、要素領域Ａｂ１にも一つの光透過孔４５が形成されていてもよい。すなわち、区画領域Ａａ内のすべての要素領域Ａｂにそれぞれ一つの光透過孔４５が形成されていてもよい。この場合、一つの要素領域Ａｂ１又は複数の要素領域Ａｂ１の各々も、一つの光透過孔４５が含まれるようにして定義される。
【００６２】
各光透過孔４５は、平面視において概ね円形の輪郭を有している。この場合、光源２２から出射して各光透過孔４５を透過した光は、当該光透過孔４５から、基材４１の板面方向において等方的に出射する。したがって、面光源装置２０から出射する照明光の照度の面内均一性を向上させることができる。ただし、これに限られず、各光透過孔４５は、平面視において楕円形、三角形、矩形、六角形等の他の平面形状を有するように形成してもよい。なお、本明細書及び特許請求の範囲において言及されている光透過孔（光透過部）４５に関する「直径」の用語は、広義に解釈される。光透過孔４５が平面視において円形の輪郭を有する場合だけではなく、光透過孔４５が平面視において他の形状の輪郭を有する場合にも、光透過孔４５の「直径」を決めることができる。例えば、互いに隣り合って配置される光透過孔４５の平面視形状の中心を通る直線上における光透過孔４５の長さに基づいて、光透過孔４５の「直径」を決めることができる場合がある。平面視形状の中心は、その平面視形状の重心に一致しうる。なお、光透過孔４５が平面視において楕円形状を有する場合には、その楕円の短軸（ｍｉｎｏｒ  ａｘｉｓ）の長さによって光透過孔４５の「直径」が表される。また光透過孔４５が平面視において多角形形状（例えば正三角形、正四角形及び正六角形等の正多角形の形状）を有する場合には、その多角形の内接円の直径によって、光透過孔４５の「直径」が表される。
【００６３】
光透過孔４５の寸法は、要素領域Ａｂ１から区画領域Ａａの周縁に向かうにつれて大きくなるように変化している。ここで、光透過孔４５の寸法が、要素領域Ａｂ１から区画領域Ａａの周縁に向かうにつれて大きくなるように変化するとは、光透過孔４５の寸法が、要素領域Ａｂ１から区画領域Ａａの周縁に向かうにつれて常に大きくなるように変化する場合のみならず、一部の領域において光透過孔４５の寸法が変化しない場合をも含む。換言すると、光透過孔４５の寸法が、要素領域Ａｂ１から区画領域Ａａの周縁に向かうにつれて大きくなるように変化するとは、光透過孔４５の寸法が、要素領域Ａｂ１から区画領域Ａａの周縁に向かうにつれて小さくなるように変化する領域を有しないことを意味する。図５に示された例では、光透過孔４５の寸法は、要素領域Ａｂ１から区画領域Ａａの周縁に向かうにつれて、常に大きくなるように変化している。なお、図示された例では、各光透過孔４５の中心と当該光透過孔４５が配置された要素領域Ａｂ２の中心とは一致している。
【００６４】
なお各要素領域Ａｂの平面視形状は、図５に示す形状には限定されない。各要素領域Ａｂは、例えば、平面視において三角形、四角形及び六角形等の他の形状をなしていてもよい。
【００６５】
［光透過孔４５の配置］
次に、光透過孔４５の配置について説明する。
【００６６】
本実施の形態の照度分布調整板４０に形成される複数の光透過孔４５の配置は、以下の条件に基づいて定められている。すなわち、光源２２（特に光源２２の中心）を通過し且つ対向方向ｄ３と平行に延びる直線を基準線Ｌｒとして定め、当該基準線Ｌｒと交わる直線を第１の直線Ｌ１（後述の図６参照）として定めた場合、第１の直線Ｌ１は、以下の２つの条件のうちの少なくともいずれか一方を満たさない。すなわち、以下の条件１及び条件２を同時に満たす第１の直線Ｌ１が存在しないように、光透過孔４５の配置が定められる。
【００６７】
＜条件１＞
第１の直線Ｌ１は、照度分布調整板４０に形成された複数の光透過孔４５のうち光源２２の直上以外の位置に配置される３以上の光透過孔４５のそれぞれの中心を通過する。
＜条件２＞
上述の条件１における「３以上の光透過孔４５」のうち光源２２に最も近い位置に配置される光透過孔４５の中心位置と基準線Ｌｒとの間の間隔をＰｒで表した場合、上述の「３以上の光透過孔４５」の各々と基準線Ｌｒとの間の間隔はＰｒの整数倍である。
【００６８】
上述の条件１及び条件２を同時に満たす第１の直線Ｌ１が存在しない場合、照明光において暗部が規則的に生じることを回避でき、特に直線的に連続するスジ状の暗部が生じることを回避できる。したがって照度分布調整板４０は、照度分布の均一化を促しつつ、照明光において暗部を目立ちにくくすることができる。なお上述の第１の直線Ｌ１としては、基準線Ｌｒと垂直に交わる直線が想定されている。したがって、照度分布調整板４０が基準線Ｌｒと直角をなす方向に延在する場合、第１の直線Ｌ１は、照度分布調整板４０の延在方向と平行に延びる。
【００６９】
図６は、図５に示す照度分布調整板４０と比較される照度分布調整板４０（比較例）における一つの区画領域Ａａを示す平面図である。図６に示す区画領域Ａａは、規則的に配列された複数の要素領域Ａｂに更に区分けされている。各要素領域Ａｂは、平面視において正六角形形状を有しており、同一の形状及び大きさを有する複数の要素領域Ａｂが同一のピッチで並べられており、複数の要素領域Ａｂがいわゆるハニカム状に配列されている。
【００７０】
なお、隣り合う二つの要素領域Ａｂが互いに一つの辺を共有し且つ三つの要素領域Ａｂが互いに一つの頂点を共有するようにして、区画領域Ａａ内に隙間なく並べられている点は、図５に示す照度分布調整板４０と図６に示す照度分布調整板４０との間で共通する。また図６に示す光透過孔４５は、図５に示す光透過孔４５と同様に、要素領域Ａｂ１以外の要素領域Ａｂの各々に一つの光透過孔４５が配置され、各光透過孔４５の中心は対応の要素領域Ａｂの中心（すなわち対応の要素領域Ａｂの平面形状の重心）に一致し、各光透過孔４５は概ね円形の平面視形状を有する。また図６に示す照度分布調整板４０においても、光源２２からの距離が遠くなるほど、光透過孔４５の開口面積（開口率）が増大する。
【００７１】
図６に示す照度分布調整板４０の場合、上述の条件１及び条件２を同時に満たす第１の直線Ｌ１が存在する。例えば、図６において符号「４５−１」、「４５−２」及び「４５−３」が付された光透過孔に注目する。これらの光透過孔４５−１、４５−２、４５−３は、光源２２の直上以外の位置に配置されている（上記「条件１」参照）。またこれらの光透過孔４５−１、４５−２、４５−３のうち光源２２に最も近い位置に配置される光透過孔４５−１の中心位置と基準線Ｌｒとの間の間隔を「Ｐｒ」で表した場合、光透過孔４５−２の中心位置と基準線Ｌｒとの間の間隔は「２×Ｐｒ」で表され、光透過孔４５−３の中心位置と基準線Ｌｒとの間の間隔は「３×Ｐｒ」で表される。このように、光透過孔４５−１、４５−２、４５−３の各々と基準線Ｌｒとの間の間隔はＰｒの整数倍である（上記「条件２」参照）。そして図６からも明らかなように、これらの光透過孔４５−１、４５−２、４５−３のそれぞれの中心を通過する第１の直線Ｌ１が、図６に示す照度分布調整板４０では存在する。
【００７２】
一方、図５に示す照度分布調整板４０の場合、上述の条件１及び条件２を同時に満たす第１の直線Ｌ１が存在しない。このように図５に示す本実施の形態の照度分布調整板４０には、上述の条件１及び条件２のうち少なくともいずれか一方を満たさない程度の不規則性を持つ位置に、複数の光透過孔４５が形成される。
【００７３】
上述のように、複数の光透過孔４５が等ピッチで同軸上に配置されている場合（特に、照度分布調整板４０のうち光透過孔４５が形成されていない部分が直線的に延在する場合）に、暗部が視認されやすい。図６に示す照度分布調整板４０のように上述の条件１及び条件２を同時に満たす第１の直線Ｌ１が存在する場合には、光透過孔４５が等ピッチで同軸上に配置され、照度分布調整板４０のうち光透過孔４５が形成されていない部分が直線的に延在する傾向が強くなる。一方、図５に示す照度分布調整板４０のように上述の条件１及び条件２を同時に満たす第１の直線Ｌ１が存在しない場合には、光透過孔４５が等ピッチで同軸上に配置されることを回避し、照度分布調整板４０のうち光透過孔４５が形成されていない部分が直線的に延在することを回避することができる。
【００７４】
なお図示のように光源２２から離れるほど光透過孔４５の開口面積（開口率）が大きくなるパターンにて複数の光透過孔４５が配置される場合、光源２２に近い位置ほど、光透過孔４５が形成されていない領域の割合が高くなり、光源２２から遠い位置ほど、光透過孔４５が形成されていない領域の割合が低くなる。したがって視認可能な暗部の発生を防ぐ観点からは、特に光源２２（すなわち区画領域Ａａの中心Ｃ）に近い位置に形成される光透過孔４５が、等ピッチで同軸上に配置されないことが好ましい。上述の条件１及び条件２を同時に満たす第１の直線Ｌ１が存在しないように光透過孔４５の配置を決めることによって、図５に示す照度分布調整板４０のように、光源２２に近い位置に形成される光透過孔４５が等ピッチで同軸上に配置されることを有効に回避できる。
【００７５】
図７〜図１０は、基準線Ｌｒ（光源２２）及び光透過孔４５の典型的な配置関係を例示する概略平面図であり、光源２２の近くに配置される三つの光透過孔４５−１、４５−２、４５−３のみが抜粋されて示されている。なお図７〜図１０に示す光透過孔４５−１、４５−２、４５−３は実際の位置とは異なる位置に配置されているかもしれず、実際の光透過孔４５の配置が、照度分布調整板４０に形成される全ての光透過孔４５の配置のバランスに基づいて決められることに留意すべきである。また図７〜図１０に示す光透過孔４５−１、４５−２、４５−３は、お互いに同じ直径を持つように便宜的に描かれているが、実際には「光透過孔４５−１の直径＜光透過孔４５−２の直径＜光透過孔４５−３の直径」の関係を満たしていてもよい。
【００７６】
図７に示す例では、光源２２の直上以外の位置に配置される三つの光透過孔４５−１、４５−２、４５−３のそれぞれの中心を通過する第１の直線Ｌ１が存在し、上述の条件１が満たされる。一方、光透過孔４５−２と基準線Ｌｒとの間の間隔Ｐは、光透過孔４５−１と基準線Ｌｒとの間の間隔Ｐｒの整数倍ではない（すなわち「Ｐ≠Ｎ×Ｐｒ（ただしＮは整数を表す）」の関係が成立する）ので、上述の条件２が満たされない。したがって図７に示す光透過孔４５−１、４５−２、４５−３の配置は、照明光における暗部の発生を防ぐ観点からは、良好な配置である。
【００７７】
一方、図８に示す例では、光源２２の直上以外の位置に配置される三つの光透過孔４５−１、４５−２、４５−３のそれぞれの中心を通過する第１の直線Ｌ１が存在し、光透過孔４５−２と基準線Ｌｒとの間の間隔Ｐは光透過孔４５−１と基準線Ｌｒとの間の間隔Ｐｒの２倍であり、光透過孔４５−３と基準線Ｌｒとの間の間隔Ｐは光透過孔４５−１と基準線Ｌｒとの間の間隔Ｐｒの３倍である（すなわち「Ｐ＝Ｎ×Ｐｒ（ただしＮは整数を表す）」の関係が成立する）。したがって図８に示す光透過孔４５−１、４５−２、４５−３の配置は、上述の条件１及び条件２を同時に満たす第１の直線Ｌ１が存在するので、照明光における暗部の発生を防ぐ観点からは、必ずしも良好な配置とはいえない。
【００７８】
一方、図９に示す例では、光透過孔４５−２と基準線Ｌｒとの間の間隔Ｐは光透過孔４５−１と基準線Ｌｒとの間の間隔Ｐｒの２倍であり、光透過孔４５−３と基準線Ｌｒとの間の間隔Ｐは光透過孔４５−１と基準線Ｌｒとの間の間隔Ｐｒの３倍であり、上述の条件２が満たされる。しかしながら、光源２２の直上以外の位置に配置される三つの光透過孔４５−１、４５−２、４５−３のそれぞれの中心を通過する第１の直線Ｌ１が存在しないため、上述の条件１が満たされない。したがって図９に示す光透過孔４５−１、４５−２、４５−３の配置は、照明光における暗部の発生を防ぐ観点からは、良好な配置である。
【００７９】
また図１０に示す例では、光透過孔４５−２と基準線Ｌｒとの間の間隔Ｐ及び光透過孔４５−３及び基準線Ｌｒとの間の間隔Ｐは、光透過孔４５−１と基準線Ｌｒとの間の間隔Ｐｒの整数倍ではないので、上述の条件２が満たされない。また光源２２の直上以外の位置に配置される三つの光透過孔４５−１、４５−２、４５−３のそれぞれの中心を通過する第１の直線Ｌ１が存在しないため、上述の条件１も満たされない。したがって図１０に示す光透過孔４５−１、４５−２、４５−３の配置は、照明光における暗部の発生を防ぐ観点からは、良好な配置である。
【００８０】
上述のように、図５、図７、図９及び図１０の各々に示す光透過孔４５の配置によれば、照明光において視認可能な暗部が発生することを効果的に防ぐことができる。なお、照度分布調整板４０に形成される複数の光透過孔４５の配置は、更に以下の条件を考慮して決められてもよい。
【００８１】
例えば、照度分布調整板４０に形成される複数の光透過孔４５を光源２２からの距離に応じて複数の孔群に分類し、光源２２からの距離の序列がｎ番目（ただしｎは０を含まない自然数）である光透過孔４５が分類される孔群をｎ番目の序列の孔群とする。この場合、複数の孔群のうち、少なくとも２つの光透過孔４５が分類される孔群において、これらの少なくとも２つの光透過孔４５は、基準線Ｌｒを中心とした円周方向に隣り合う光透過孔４５が基準線Ｌｒを基準として形成する角度が等角度となるように配置されてもよい。このように、光源２２からの距離の序列が同じである複数の光透過孔４５を等角度間隔に配置することによって、基準線Ｌｒを中心とした円周方向に関して照度を均一化しつつ、照明光における視認可能な暗部の発生を効果的に防ぐことができる。
【００８２】
また対向方向ｄ３に対して直角をなす方向に延びる直線を第２の直線Ｌ２及び第３の直線Ｌ３として定め、第２の直線Ｌ２が以下の条件３及び条件４のうちの少なくともいずれか一方を満たさず（すなわち条件３及び条件４を同時には満たさず）、また第３の直線Ｌ３が以下の条件５及び条件６の両方を同時に満たすように、照度分布調整板４０に複数の光透過孔４５を形成してもよい。
【００８３】
＜条件３＞
第２の直線Ｌ２は、照度分布調整板４０に形成された複数の光透過孔４５のうち、基準線Ｌｒから相対的に近い第１の範囲Ｒ１において光源２２の直上以外の位置に配置される３以上の光透過孔４５のそれぞれの中心を通過する。
＜条件４＞
第２の直線Ｌ２が通過する第１の範囲Ｒ１における３以上の光透過孔４５（すなわち上述の条件３における「３以上の光透過孔４５」）は、第２の直線Ｌ２に沿って隣り合う光透過孔４５の中心間の距離が一定である。
【００８４】
＜条件５＞
第３の直線Ｌ３は、照度分布調整板４０に形成される複数の光透過孔４５のうち、基準線Ｌｒから相対的に遠く且つ第１の範囲Ｒ１とは重複しない第２の範囲Ｒ２に配置される３以上の光透過孔４５のそれぞれの中心を通過する。
＜条件６＞
第３の直線Ｌ３が通過する第２の範囲Ｒ２における３以上の光透過孔４５（すなわち上述の条件５において述べられている「３以上の光透過孔４５」）は、第３の直線Ｌ３に沿って隣り合う光透過孔４５の中心間の距離が一定である。
【００８５】
なお、上述の条件３及び条件４を同時に満たす第２の直線Ｌ２は、上述の条件１及び条件２を同時に満たす第１の直線とオーバーラップしうる（図６参照）。また上述の条件５及び条件６を同時に満たす第３の直線Ｌ３は、上述の条件１及び条件２を同時に満たす第１の直線とオーバーラップしうる（図６参照）。
【００８６】
上述の条件３及び条件４を同時に満たす第２の直線Ｌ２が存在しないように光透過孔４５の配置を決めることで、暗部が発生しやすい光源２２に近い位置（すなわち第１の範囲Ｒ１）においては、光透過孔４５が形成されていない領域が直線的に延在することを有効に回避でき、照明光において暗部を目立ちにくくすることができる。また上述の条件５及び条件６を同時に満たす第３の直線Ｌ３が存在するように光透過孔４５の配置を決めることで、暗部が発生しにくい光源２２から遠い位置（すなわち第２の範囲Ｒ２）においては、光透過孔４５を規則的に配置することができる。これにより、隣接する区画領域Ａａの境界の近傍（すなわち各区画領域Ａａの周縁部）において、光透過孔４５の配置の連続性を容易に確保することができる。したがって複数の区画領域Ａａが設けられる場合であっても、照度分布調整板４０の全体にわたって所望の照度分布を精度良く実現することが可能な複数の光透過孔４５を簡単に形成することが可能である。
【００８７】
なお図５には第１の範囲Ｒ１及び第２の範囲Ｒ２が図示されているが、図５に示す第１の範囲Ｒ１と第２の範囲Ｒ２との間の境界線Ｒｄ１は、目安となる境界位置を便宜的に示しているに過ぎず、必ずしも厳密な境界位置を示しているとは限らない。
【００８８】
また、上述のように、照明光において暗部が比較的発生しやすい範囲を第１の範囲Ｒ１に設定し、照明光において暗部が比較的発生しにくい範囲を第２の範囲Ｒ２に設定することが好ましい。ただし実際には、暗部の発生しやすさは、面光源装置２０の構成要素（例えば光源２２）の特性に応じて変動する。したがって境界線Ｒｄ１の具体的な位置（すなわち第１の範囲Ｒ１及び第２の範囲Ｒ２の具体的範囲）は限定されない。目安の一例として、第１の範囲Ｒ１に配置される各光透過孔４５が、対応の要素領域Ａｂにおいて５０％以下の開口率を示すように、第１の範囲Ｒ１及び第２の範囲Ｒ２を定めることが可能である。
【００８９】
［光透過孔４５の配置の決定手法］
次に、照度分布調整板４０における複数の光透過孔４５の配置の決定手法について説明する。ただし、以下に示す決定手法は一例に過ぎず、他の手法に基づいて、上述の各種条件を満たすように複数の光透過孔４５の配置（図５参照）を決定してもよい。
【００９０】
図１１は、照度分布調整板４０の一つの区画領域Ａａを示す平面図であって、参照要素領域Ａｄの配置パターン（調整前）の一例を示す図である。図１２は、図１１に示す参照要素領域Ａｄの配置パターンに基づいて導き出された参照要素領域Ａｄの配置パターン（調整後）を示す図であり、図１２に示す参照要素領域Ａｄは図５に示す要素領域Ａｂと一致する。なお見やすさを考慮し、図１２では孔参照位置５５の図示が省略されている。また図１１及び図１２には第３の範囲Ｒ３及び第４の範囲Ｒ４が図示されているが、図１１及び図１２に示す第３の範囲Ｒ３と第４の範囲Ｒ４との間の境界線Ｒｄ２は、目安となる境界位置を便宜的に示しているに過ぎず、必ずしも厳密な境界位置を示しているとは限らない。
【００９１】
まず図１１に示すように、照度分布調整板４０における各区画領域Ａａを、複数の参照要素領域Ａｄに区分けする。各参照要素領域Ａｄの具体的な形状やサイズは限定されない。図１１に示す参照要素領域Ａｄは、規則的に配置され、互いに同じサイズを有する。具体的には、各参照要素領域Ａｄは正六角形の平面形状を有し、複数の参照要素領域Ａｄがハニカム状に配列されている。
【００９２】
そして、少なくとも、対向方向ｄ３に沿って投影されたときに光源２２と重なる参照要素領域Ａｄ１に隣接する参照要素領域Ａｄ２の各々には、孔参照位置５５が定められる。図１１に示す例では、参照要素領域Ａｄ１を除くすべての参照要素領域Ａｄ（参照要素領域Ａｄ２を含む）にそれぞれ一つの孔参照位置５５が形成されている。言い換えると、参照要素領域Ａｄ１以外の参照要素領域Ａｄは、それぞれ一つの孔参照位置５５が含まれるように定められる。各孔参照位置５５は、対応の参照要素領域Ａｄのうちの任意の位置とすることが可能であり、典型的には対応の参照要素領域Ａｄの中心（すなわち重心）の位置とすることができる。
【００９３】
そして、孔参照位置５５を光源２２からの距離に応じて複数の参照孔群に分類し、光源２２からの距離の序列がｎ番目（ただしｎは０を含まない自然数）である孔参照位置５５が分類される参照孔群を、ｎ番目の序列の参照孔群とする。そして、少なくとも基準線Ｌｒから相対的に近い第３の範囲Ｒ３において、基準線Ｌｒを中心に、ｎ番目の序列の参照孔群に分類される孔参照位置５５を参照孔群単位で回転移動させた後の位置に、ｎ番目の序列の孔群に分類される光透過孔４５を配置する。
【００９４】
これにより、光源２２からの距離の序列が同じである複数の光透過孔４５（すなわち同じ序列の孔群に分類される複数の光透過孔４５）の相互間の相対的な位置関係を、対応の参照孔群に分類される孔参照位置５５の相互間の相対的な位置関係と同じに保ちつつ、各光透過孔４５を対応の孔参照位置５５とは異なる位置に配置することができる。
【００９５】
なお、更に以下に述べる事項を考慮して、各光透過孔４５の配置を決めてもよい。
【００９６】
例えば、第３の範囲Ｒ３において、基準線Ｌｒを中心に、ｎ番目の序列の参照孔群に分類される孔参照位置５５を参照孔群単位で第１の角度だけ回転移動させた後の位置に、ｎ番目の序列の孔群に分類される光透過孔４５を配置してもよい。また第３の範囲Ｒ３において、基準線Ｌｒを中心に、（ｎ＋１）番目の序列の参照孔群に分類される孔参照位置５５を参照孔群単位で第２の角度だけ回転移動させた後の位置に、（ｎ＋１）番目の序列の孔群に分類される光透過孔４５を配置してもよい。この場合、第１の角度及び第２の角度を相互に異ならせてもよい。また、第１の角度及び第２の角度を−４５°以上４５°未満としてもよい。
【００９７】
上述の条件を更に考慮して光透過孔４５の配置を決めることによって、ｎ番目の序列の孔群に分類される光透過孔４５及び（ｎ＋１）番目の序列の孔群に分類される光透過孔４５の両方が、基準線Ｌｒから放射方向に延びる同一直線（すなわち基準線Ｌｒと交わり且つ基準線Ｌｒと垂直をなす方向に延びる同一直線）上に配置されることを有効に回避できる。したがって簡単に、上述の条件１及び条件２を同時に満たす第１の直線Ｌ１が存在しないように、各光透過孔４５の配置を定めることが可能である。
【００９８】
なお図５に示す照度分布調整板４０では、上述のように第１の範囲Ｒ１に配置される光透過孔４５と第２の範囲Ｒ２に配置される光透過孔４５との間で、配置条件が異なる（上述の条件３〜条件６参照）。図５に示すこのような光透過孔４５の配置は、上述の決定手法に加え、更に以下の条件を考慮することで、適切に決定可能である。
【００９９】
すなわち、照度分布調整板４０の各区画領域Ａａにおいて、図１１に示す第３の範囲Ｒ３を図５に示す第１の範囲Ｒ１に一致させる。また基準線Ｌｒから相対的に遠く且つ第３の範囲Ｒ３とは重複しない図１１に示す第４の範囲Ｒ４を、図５に示す第２の範囲Ｒ２に一致させる。そして、第３の範囲Ｒ３においては、上述の手法に基づいて、孔参照位置５５を参照孔群単位で基準線Ｌｒを中心に回転移動させた後の位置に光透過孔４５を配置する。一方、第４の範囲Ｒ４においては、ｎ番目の序列の参照孔群に分類される孔参照位置５５の位置に、ｎ番目の序列の孔群に分類される光透過孔４５を配置する。すなわち、第４の範囲Ｒ４に関しては、孔参照位置５５は参照孔群単位で基準線Ｌｒを中心に回転させられず、各光透過孔４５は対応の孔参照位置５５（すなわち回転移動しない孔参照位置５５）と同じ位置に配置される。
【０１００】
図１２には、上述のようにして第３の範囲Ｒ３の孔参照位置５５及び第４の範囲Ｒ４の孔参照位置５５の配置位置を調整した後の、参照要素領域Ａｄが示されている。図１２に示す調整後の参照要素領域Ａｄにおいて、隣り合う参照要素領域Ａｄを区画する区画線は、隣り合う二つの孔参照位置５５同士を結ぶ線分の、基材４１の板面に沿った垂直二等分線の一部として定義することができる。このように参照要素領域Ａｄは、上述の要素領域Ａｂと同様にいわゆるボロノイ分割に準拠して定められる。すなわち、孔参照位置５５を母点として定め、隣り合う母点間を結ぶ直線に垂直二等分線を引くことによって、各母点に割り当てられる分割領域（すなわち各孔参照位置５５に割り当てられる参照要素領域Ａｄ）を定めることができる。
【０１０１】
なお上述の実施の形態では、調整前の各参照要素領域Ａｄの平面形状は正六角形であり、調整後の各参照要素領域Ａｄの平面形状（すなわち各要素領域Ａｂの平面形状）は概ね六角形である。そのため光源２２の直上の位置以外に配置される光透過孔４５のうち、光源２２に最も近い位置に配置される光透過孔４５の数は６となっている。ただし、これは一例に過ぎず、例えば調整前の各参照要素領域Ａｄの平面形状は、六つの辺及び六つの頂点を持つが、これらの辺の長さが互いに等しくない六角形であってもよい。典型的には、調整前の各参照要素領域Ａｄの平面形状は、六つの辺のうち互いに平行に延びる二つの辺が互いに同じ長さを持つが他の四つの辺よりも長く又は短く、且つ、他の四つの辺が互いに同じ長さを持つ六角形であってもよい。また各参照要素領域Ａｄ及び各要素領域Ａｂは、他の平面形状を有していていもよい。例えば、調整前の各参照要素領域Ａｄの平面形状を正方形に設定し、調整後の各参照要素領域Ａｄの平面形状（すなわち各要素領域Ａｂの平面形状）を概ね四角形としてもよい。この場合、光源２２の直上の位置以外に配置される光透過孔４５のうち、光源２２に最も近い位置に配置される光透過孔４５の数は４となる。なお調整前の各参照要素領域Ａｄの平面形状は、正方形でなくてもよく、正方形以外の長方形であってもよい。なお「長方形」の概念には「正方形」も含まれる。
【０１０２】
また上述した実施の形態に対して様々な変更を加えた変形例に対しても本発明を適用することが可能であり、そのような実施の形態及び変形例の組み合わせに対しても本発明を適用することが可能である。
【符号の説明】
【０１０３】
５  観察者
１０  表示装置
１０ａ  表示面
１５  表示パネル
１５ａ  表示面
２０  面光源装置
２０ａ  出光面
２２  光源
２３  スペーサ
２４  壁部
２５  開口
２６  拡散板
２７  第１光学シート
２８  第２光学シート
３０  ベース積層体
３１  基材
３２  接合層
３３  フィルム基板
３４  配線層
３５  レジスト層
３６  光反射層
３７  導電接続層
４０  照度分布調整板
４１  基材
４５  光透過孔
４５−１  光透過孔
４５−２  光透過孔
５１  空隙層
５５  孔参照位置
Ａａ  区画領域
Ａｂ  要素領域
Ａｄ  参照要素領域
Ｃ  区画領域の中心
Ｌｒ  基準線
ｄ１  第１方向
ｄ２  第２方向
ｄ３  対向方向
Ｌ１  第１の直線
Ｌ２  第２の直線
Ｌ３  第３の直線
Ｒ１  第１の範囲
Ｒ２  第２の範囲
Ｒ３  第３の範囲
Ｒ４  第４の範囲
Ｒｄ１  境界線
Ｒｄ２  境界線
【図１】
2019175808.tif 000003
【図２】
2019175808.tif 000004
【図３】
2019175808.tif 000005
【図４】
2019175808.tif 000006
【図５】
2019175808.tif 000007
【図６】
2019175808.tif 000008
【図７】
2019175808.tif 000009
【図８】
2019175808.tif 000010
【図９】
2019175808.tif 000011
【図１０】
2019175808.tif 000012
【図１１】
2019175808.tif 000013
【図１２】
2019175808.tif 000014